(57)【要約】      （修正有）【課題】高圧受変電設備の月次点検業務における一人危険予知業務に係わる評価をするための一人危険予知評価表を提供する。【解決手段】一人危険予知評価表は、点検者体調を記入する欄として、年齢、血圧、及び体温を記入する欄が設けられており、点検者体調を記入する欄の下に、本日の天候を記入する欄として、気温及び不快指数を記入する欄が設けられており、本日の天候を記入する欄の下に、本日の環境を記入する欄として、充電部分の作業の有無、高所作業の有無、及び猿ハシゴの有無を記入する欄が設けられており、本日の環境を記入する欄の下に、本日の点検を記入する欄として、実施及び中止を記入する欄が設けられている。【選択図】図２
0003207496.tif 000002
【実用新案登録請求の範囲】
【考案の詳細な説明】
【技術分野】
【０００１】高圧受変電設備の定期点検（月例等）は、目視点検が基本である。点検中に不良箇処を発見しても、設備所有者と打ち合せをして、改めて施工日を決め、停電作業を含む安全策を施し、複数人で処理対策をする。（一人危険予知業務）は無停電・目視点検が基本であり、活線作業が大前提である。
【背景技術】
【０００２】高圧受変電設備の設備点検業務は、専門知識を持った国家試験、合格者へ設備所有者が依頼、国の承認を得て実施している。
点検項目は、依頼する設備所有者と、電気管理技術者間で取り決めを交わし、国の承認を得た点検基準により実施している。
【先行技術文献】
【０００３】一人危険予知業務は、経済産業省・原子力保安院をはじめ、地方公共団体・電気関連企業団体等も、一丸となって啓蒙に努めており、各専門誌にも関係記事が多数  特集されている。
結果は、平成２６年度  中部・近畿産業保安監督部・近畿支部管内でも１２件  被災している実積が發表されている。
＊電気管理技術者の定期点検業務は、無停電・目視点検が基本であり、些細な作業でも、活線作業をしないのが、基本である。特別な場合も含めて、活線での作業を基本に、工事又は年次点検作業を実施する場合は、需要家側及び工事担当者と、充分な詳細打ち合せを行い、信頼関係を持つことが基本であり、点検者及び工事業者が、ともに誠意をもって当たるべきである。徒に（一人危険予知）を声高に説いても、点検に参加する人の意識が変わらなければ、（一人危険予知業務）は効果を上げられない。
【考案の概要】
【考案が解決しようとする課題】
【０００４】管理技術者の高年齢化、体調不良も一因と考えられるが、規制緩和へ動いている世相の中で、時代の流れに、棹さ形ではあるが、以下の３項目を欠点とする事である。
（１）電気管理技術は確立された理論である。
（２）管理技術者の熟練度が高い。
（３）どの様な問題にも、対処できる柔軟な技術がある。
この３条件を、全面的に、否定する事からスタートすべきである。
【発明が解決しようとする手段】
【０００５】電気管理技術者の集団が【組織で採用】する申し合わせで上記の３項目に頼らない、マニュアル処理をすべきである。
次の各項目を需要家側と、点検者相互に義務づける。
（１）電気管理技術者の行動記録・・入／出門時刻・立会者
（２）点検項目（事前に打ち合せ済）
（３）環境条件・・気象条件・（天候）（気温）（湿度）
（４）点検環境（目視で注意する項目）
（感電危険場所）（階段・安全柵）等
（５）点検者（体温・血圧・脈搏・持病・風邪・その他）
記録／報告
・スマート・フオンで報告・日常と違う条件を連絡
・点検行動を携帯用プリンターで録音
・不良箇所報告・打ち合せ記録（見積・説明）
（６）需要家側の承諾を戴く。
【行動判断基準を記入する】
上記報告で点検内容を纏める。
＊判断項目に判断点数をつける。（０〜１０）
項目毎に平均点をカウント
（８以上）本日点検可
（５〜７）作業要注意
（４以下）本日作業不可
0003207496.tif 000003
（７）所属協会・産業保安監督部近畿支部へは報告義務のあるものを報告する。（近畿支部の報告は添付通り）
【発明の効果】
【０００６】この発明は、電気の専門技術者が、陥りがちな自己過信の典型例で、充分な経験に裏打ちされた熟練度の高い形の落とし穴である。これを｛発想の転換｝で、高いレベルの行動範囲を全面否定、只管、示されたマニュアル通り点検する。
0003207496.tif 000004
【効果】提出した報告書は、電気設備管理の成績書となる。
完成度が高いと、感電事故や、大型電気事故が減少する。
0003207496.tif 000005
国との関わりは自家用電気設備では、次の事故内容で報告する義務がある。
（１）感電・電気工作物の破損による人の死傷
（２）電気火災
（３）電気設備の誤操作で社会的に影響を及ぼした事故
（４）燃料電池・太陽電池・風力発電所等の大型破損事故
（５）大型需要設備・自家用波及事故
【点検者の行動・体調・自然環境・・危険箇所、充電部の確認】
について記録し、報告書を作成。（後日確認の為）
【発明が解決しようとしている手段】
（１）設備所有者と点検者の設備点検の約束項目（契約時）
（２）行動記録【スマート・フオン】での応答
（３）一人危険予知業務のフロー・チヤート
0003207496.tif 000006
予定外の業務まで処理しようとすると、感電死傷事故を招く事が多発することになる。
これを防止する為に、簡易な報告書を作成する。
【解決手段】約束項目に従って、作業を遂行し、記録する。
結果として
（１）予想外の事故を防止できる。
（２）報告書の纏めで管理業務資料が集計出来る。
（３）組織の纏まりが図れる。（業務内容の統一化）
【図−１】
0003207496.tif 000007
【図−２】
0003207496.tif 000008
【図−３】
0003207496.tif 000009
【手続補正書】
【提出日】平成28年3月28日(2016.3.28)
【手続補正１】
【補正対象書類名】実用新案登録請求の範囲
【補正対象項目名】全文
【補正方法】変更
【補正の内容】
【実用新案登録請求の範囲】
【請求項１】
高圧受変電設備の点検は、月次点検業務と、年次点検業務であり、今回の登録請求範囲は月次点検業務である。
月次点検業務は、目視・無停電業務である。
高圧受変電設備の点検業務を契約するときに、月次・年次の契約条項を確実に区分すると共に（一人危険予知業務）を採用して、業務レベルの平準化を図る。
点検中、不足の事態に遭遇すると、年次点検業務に切り替え対処する。
【手続補正２】
【補正対象書類名】明細書
【補正対象項目名】全文
【補正方法】変更
【補正の内容】
【考案の詳細な説明】
【技術分野】
【０００１】高圧受変電設備の月次点検業務は、目視点検が基本であり、無停電作業である。
【背景技術】
【０００２】高圧受変電設備の点検業務は、専門知識を持ち、国家試検に合格した電気管理技術者と設備所有者が、自主的に契約し、国の承認を得て実施している。
点検項目は、依頼する設備所有者と、電気管理技術者間で協議し、国の承認を得た点検基準により実施している。
【先行技術文献】
【０００３】この点検業務は、経済産業省・原子力保安院をはじめ、地方公共団体・電気設備関連企業や団体等も、一丸となって啓蒙に努めており、各専門誌にも記事が多数特集されている。近年も、平成２６年度  近畿産業保安監督部・近畿支部管内で、１２件の感電被災実積が報告されている。
電気管理技術者の月次点検業務は、無停電・目視点検が基本であり、些細な業務でも、停電して点検業務をしないのが基本である。特別な場合を含め、活線での作業を基本に、工事または年次点検業務を実施する場合は、設備所有責任者及び工事担当責任者と、十分な詳細打ち合わせを行い、信頼関係を持つことが基本である。
点検業務担当者と工事担当者は、共に誠意をもって事に当たるべきである。
徒に｛一人危険予知業務｝を声高に説いても、業務に参画する人の意識が変わらなければ、｛一人危険予知業務｝の効果は上げられない。
【考案の概要】
【考案が解決しようとする課題】
【０００４】電気管理技術者の高年齢化や、規制緩和に動いている世相の中で、次の３項目が欠点と考えられ、危険予知業務を阻害する要因と考える。
（１）電気管理技術者の、個人技能のレベルが高い。
（２）独善的個人技能があって、安易にルールを守らない。
（３）個人技能を頼り過ぎる。
この３条件を否定して、処理レベルを揃える必要がある。
【発明が解決しようとする手段】
【０００５】（１）電気管理技術者の集団が、（組織として採用）する申し合わせで、前記［０００４］の３項目を否定することが必要である。
（２）守りやすいマニュアルを作成し、申し合わせをする。
（３）次の各項目を設備所有者と、電気管理技術者の相互で、事前打ち合わせし契約する。点検業務を判定する判断項目を、契約設備ごとに定めておく。
（４）点検可・不可の判断項目を採用する。
１）電気管理技術者の行動記録・・入・出門時刻・立会者確認
２）点検項目の確認と点検記録
３）環境条件・・気象条件（天候・気温・湿度）
４）点検環境（目視で注意する項目）
（感電危険個所）（階段、安全柵等）
５）点検者体調（体温・血圧・脈拍・持病・風邪・その他）
６）記録・点検報告
７）点検当日の点検実施の可否について
契約時取り交わしている（点検行動判断基準）により、点検の可否を判定記録する。
点検行動判断の判断項目で、点検実施可能と判定されれば、設備所有者へ、点検実施を連絡。点検業務に着手する。
実施不可となれば、その旨報告し実施日を変更する。
８）設備点検判断項目の判断点数は、（０〜１０）とし、項目ごとに平均点を計上する。
（８以上）本日点検可    （５〜７）作業要注意    （４以下）本日作業不可
以上の報告をスマート・フォンで報告。
（５）産業保安監督部近畿支部への報告義務のあるのは、下記項目である。
・国への報告義務項目
１）感電・電気工作物の破損による人の死傷
２）電気火災
３）電気設備の誤操作で社会的に影響を及ぼした事故
４）燃料電池・太陽電池・風力発電所等の大型破損事故
５）大型需要設備・自家用波及事故
【発明の効果】
【０００６】（１）高圧受変電設備・月次点検業務実施の可否は、予め業務契約時に、取り決めている高圧受変電設備点検実施基準に基づいて、マニュアル通り施工する。
（２）月次点検業務は、無停電・目視点検が基本であり、点検中不良部分に遭遇しても、担当者と対策を打ち合わせて、安全対策を含めて、別の期日に対策を実施する。
（３）・点検者の行動・身体の調子・自然環境・危険個所・充電部分の確認について記録し点検業務に着手する。
（４）設備所有者と点検者の基本的約束事に基づいて、一人危険予知業務を遂行し結果として、次の効果が得られる。
・感電事故の防止  ・管理業務資料の集計  ・組織の管理レベルが揃う。
【図面の簡単な説明】
【０００７】
【図１】  図面  ［一人危険予知業務制御フローチャート］・・・（内容）  記号は（仮名）需要家名  （＊＊＊）  点検者名  （＊＊＊）  年齢（＊＊＊）体調  ＊＊＊・・・・・評価点・・＊＊  点検日天候（＝＝＝）：気温・湿度  （＃＃＃＃）・・・・・・・評価点・・＃  設備管理  階段（＆＆＆）  充電部露出  （＆＆＆）・・・・・評価点・・・＆  （注）評価点及び評価場所は、需要家によって異なる。
【図２】  図面  ［一人危険予知評価表］・・・・（内容）  ○月○日  （点検者体調）  年齢（    ）血圧（    ）体温（    ）気分・情緒（    ）評価判定  天候（    ）不快指数（        ）  点検場所の環境  充電部露出（    ）フェンス・梯子・ガード使用あり。評価判  本日の点検・・・実施可・不可
【図３】
0003207496.tif 000010
【手続補正書】
【提出日】平成28年6月7日(2016.6.7)
【手続補正１】
【補正対象書類名】実用新案登録請求の範囲
【補正対象項目名】全文
【補正方法】変更
【補正の内容】
【実用新案登録請求の範囲】
【請求項１】
高圧受変電設備の月次点検業務は、目視、無停電の一人作業であり、契約時、点検者の体調・点検対象設備の条件・点檢当日の気象条件等により、施主・責任者と打ち合せをして置くことで、作業中の不測の事態に備え、一人危険予知評価表で、実施の可否を決めることを特徴とする。
【手続補正２】
【補正対象書類名】明細書
【補正対象項目名】全文
【補正方法】変更
【補正の内容】
【考案の詳細な説明】
【技術分野】
【０００１】高圧受変電設備の月次点検業務は、目視点検が基本であり、無停電作業である。
【背景技術】
【０００２】高圧受変電設備の点検業務は、専門知識を持ち、国家試検に合格した電気管理技術者と設備所有者が、自主的に契約し、国の承認を得て実施している。
点検項目は、依頼する設備所有者と、電気管理技術者間で協議し、国の承認を得た点検基準により実施している。
【先行技術文献】
【０００３】この点検業務は、経済産業省・原子力保安院をはじめ、地方公共団体・電気設備関連企業や団体等も、一丸となって啓蒙に努めており、各専門誌にも記事が多数特集されている。近年も、平成２６年度  近畿産業保安監督部・近畿支部管内で、１２件の感電被災実積が報告されている。
電気管理技術者の月次点検業務は、無停電・目視点検が基本であり、些細な業務でも、停電して点検業務をしないのが基本である。特別な場合を含め、活線での作業を基本に、工事または年次点検業務を実施する場合は、設備所有責任者及び工事担当責任者と、十分な詳細打ち合わせを行い、信頼関係を持つことが基本である。
点検業務担当者と工事担当者は、共に誠意をもって事に当たるべきである。
徒に一人危険予知を声高に説いても、業務に参画する人の意識が変わらなければ、一人危険予知業務の効果は上げられない。
【考案の概要】
【考案が解決しようとする課題】
【０００４】電気管理技術者の高年齢化や、規制緩和に動いている世相の中で、次の３項目が欠点と考えられ、危険予知業務を阻害する要因と考える。
（１）電気管理技術者の、個人技能のレベルが高い。
（２）独善的個人技能があって、安易にルールを守らない。
（３）個人技能を頼り過ぎる。
この３条件を否定して、処理レベルを揃える必要がある。
【発明が解決しようとする手段】
【０００５】（１）電気管理技術者の集団が、（組織として採用）する申し合わせで、前記［０００４  ］の３項目を否定することが必要である。
（２）守りやすいマニュアルを作成し、申し合わせをする。
（３）次の各項目を設備所有者と、電気管理技術者の相互で、事前打ち合わせし契約する  。点検業務を判定する判断項目を、契約設備ごとに定めておく。
（４）点検可・不可の判断項目を採用する。
１）電気管理技術者の行動記録・・入・出門時刻・立会者確認
２）点検項目の確認と点検記録
３）環境条件・・気象条件（天候・気温・湿度）
４）点検環境（目視で注意する項目）
（感電危険個所）（階段、安全柵等）
５）点検者体調（体温・血圧・脈拍・持病・風邪・その他）
６）記録・点検報告
７）点検当日の点検実施の可否について
契約時取り交わしている「点検行動判断基準」により、点検の可否を判定記録する。    点検行動判断の判断項目で、点検実施可能と判定されれば、設備所有者へ、点検実施    を連絡。点検業務に着手する。
実施不可となれば、その旨報告し実施日を変更する。
８）設備点検判断項目の判断点数は、「０〜１０」とし、項目ごとに平均点を計上する    。「８以上」本日点検可    「５〜７」作業要注意    「４以下」本日作業不可
以上の報告をスマート・フォンで連絡・確認。
（５）産業保安監督部近畿支部への報告義務があるのは、下記項目である。
・国への報告義務項目
１）感電・電気工作物の破損による人の死傷
２）電気火災
３）電気設備の誤操作で社会的に影響を及ぼした事故
４）燃料電池・太陽電池・風力発電所等の大型破損事故
５）大型需要設備・自家用波及事故
【発明の効果】
【０００６】（１）高圧受変電設備・月次点検業務実施の可否は、予め業務契約時に、取り決めている  高圧受変電設備点検実施基準に基づいて、マニュアル通り施工する。
（２）月次点検業務は、無停電・目視点検が基本であり、点検中不良部分に遭遇しても、  担当者と対策を打ち合わせて、安全対策を含めて、別の期日に対策を実施する。
（３）・点検者の行動・身体の調子・自然環境・危険個所・充電部分の確認について記録  し点検業務に着手する。
（４）設備所有者と点検者の基本的約束事に基づいて、一人危険予知業務を遂行し結果と  して、次の効果が得られる。
・感電事故の防止  ・管理業務資料の集計  ・組織の管理レベルが揃う。
【図面の簡単な説明】
【０００７】
【図−１】
0003207496.tif 000011
【図−２】
0003207496.tif 000012
【図−３】
0003207496.tif 000013
【手続補正書】
【提出日】平成28年8月25日(2016.8.25)
【手続補正１】
【補正対象書類名】実用新案登録請求の範囲
【補正対象項目名】全文
【補正方法】変更
【補正の内容】
【実用新案登録請求の範囲】
【請求項１】
高圧受変電設備の点検で、設備所有者と、担当する電気管理技術者の間で、決められた期間の、法に基づく保守点検契約について、予め点検実施の可否を評価する天候、設備環境、点検者の体調を  一人危険予知評価表に基づいて判定を委ねるものであり、前記  一人危険予知評価表は、点検者体調を記入する欄として、年齢、血圧、及び体温を記入する欄が設けられており、点検者体調を記入する欄の下に、本日の天候を記入する欄として、気温及び不快指数を記入する欄が設けられており、本日の天候を記入する欄の下に、本日の環境を記入する欄として、充電部分の作業の有無、高所作業の有無、及び猿ハシゴの有無を記入する欄を設けられており、本日の環境を記入する欄の下に、本日の点検を記入する欄として、実施及び中止を記入する欄が設けられていることを特徴とする一人危険予知評価表。
【手続補正２】
【補正対象書類名】明細書
【補正対象項目名】全文
【補正方法】変更
【補正の内容】
【考案の詳細な説明】
【技術分野】
【０００１】高圧受変電設備の月次点検業務は、目視、無停電作業であり、この約束事に係わる取り決めは、業界初めての取り組みである。
【背景技術】
【０００２】高圧受変電設備の点検業務は、専門の知識を持ち、国家試験に合格した電気管理技術者と設備所有者が、自主的に契約し、国の承認を得て実施している。点検項目は依頼する設備所有者と、電気管理技術者で協議し国の承認を得て契約している。
【先行技術文献】
【０００３】この点検業務は、経済産業省・原子力保安院をはじめ、地方公共団体・電気設備関連企業や団体等も、一丸となって啓蒙に努めており、各専門誌にも記事が多数特集されている。近年も、平成２６年度  近畿産業保安監督部・近畿支部管内で、１２件の感電被災実積が報告されている。
電気管理技術者の月次点検業務は、無停電・目視点検が基本であり、些細な業務でも、停電して点検業務をしないのが基本である。特別な場合を含め、活線での作業を基本に、工事または年次点検業務を実施する場合は、設備所有責任者及び工事担当責任者と、十分な詳細打ち合わせを行い、信頼関係を持つことが基本である。
点検業務担当者と工事担当者は、共に誠意をもって事に当たるべきである。
徒に一人危険予知を声高に説いても、業務に参画する人の意識が変わらなければ、一人危険予知業務の効果は上げられない。
【考案の概要】
【考案が解決しようとする課題】
【０００４】電気管理技術者の高年齢化や、規制緩和に動いている世相の中で、次の３項目が欠点と考えられ、危険予知業務を阻害する要因と考える。
（１）電気管理技術者の、個人技能のレベルが高い。
（２）独善的個人技能があって、安易にルールを守らない。
（３）個人技能を頼り過ぎる。
この３条件を否定して、処理レベルを揃える必要がある。
【発明が解決しようとする手段】
【０００５】（１）電気管理技術者の集団が、（組織として採用）する申し合わせで、前記（０００４）の３項目を否定することが必要である。
（２）守りやすいマニュアルを作成し、申し合わせをする。
（３）次の各項目を設備所有者と、電気管理技術者の相互で、事前打ち合わせし契約する。点検業務を判定する判断項目を、契約設備ごとに定めておく。
（４）点検可・不可の判断項目を採用する。
１）電気管理技術者の行動記録・・入・出門時刻・立会者確認
２）点検項目の確認と点検記録
３）環境条件・・気象条件（天候・気温・湿度）
点検環境（目視で注意する項目）
（感電危険個所）（階段、安全柵等）
４）点検者体調（体温・血圧・脈拍・持病・風邪・その他）
６）記録・点検報告
７）点検当日の点検実施の可否について
契約時取り交わしている「点検行動判断基準」により、点検の可否を判定記録する。
点検行動判断の判断項目で、点検実施可能と判定されれば、設備所有者へ、点検実施    を連絡。点検業務に着手する。
実施不可となれば、その旨報告し実施日を変更する。
８）設備点検判断項目の判断点数は、「０〜１０」とし、項目ごとに平均点を計上する。
「８以上」本日点検可  「５〜７」作業要注意  「４以下」本日作業不可
以上の報告をスマート・フォンで報告。
（５）産業保安監督部近畿支部への報告義務のあるのは、下記項目である。
・国への報告義務項目
１）感電・電気工作物の破損による人の死傷
２）電気火災
３）電気設備の誤操作で社会的に影響を及ぼした事故
４）燃料電池・太陽電池・風力発電所等の大型破損事故
５）大型需要設備・自家用波及事故
【発明の効果】
【０００６】（１）高圧受変電設備・月次点検業務実施の可否は、予め業務契約時に、取り決めている高圧受変電設備点検実施基準に基づいて、マニュアル通り施工する。
（２）月次点検業務は、無停電・目視点検が基本であり、点検中不良部分に遭遇しても、担当者と対策を打ち合わせて、安全対策を含めて、別の期日に対策を実施する。
（３）・点検者の行動・身体の調子・自然環境・危険個所・充電部分の確認について記録し点検業務に着手する。
（４）設備所有者と点検者の基本的約束事に基づいて、一人危険予知業務を遂行し結果として、次の効果が得られる。
・感電事故の防止  ・管理業務資料の集計  ・組織の管理レベルが揃う。
【図面の簡単な説明】
【０００７】
【図１】  図面（一人危険予知業務制御フローチャート）需要家名  点検者名  年齢  体調  評価点  点検日天候  気温・湿度  評価点  設備管理  階段  評価点  （注）評価点及び評価場所は、需要家によって異なる。
【図２】  図面（一人危険予知評価表）「内容」  ○月○日  「点検者体調」  年齢  血圧  体温  情緒  評価判定  天候  不快指数  点検場所の環境  充電部露出  フェンス・梯子  ・ガード使用あり。評価判断  点検・・・実施可・不可
【図３】  （携帯記録装置）  需要家担当者との連絡用  月例報告用と兼ねる  スマート・フオン（１）  プリンター（２）
【手続補正３】
【補正対象書類名】図面
【補正対象項目名】全図
【補正方法】変更
【補正の内容】
【図１】
0003207496.tif 000014
【図２】
0003207496.tif 000015
【図３】
0003207496.tif 000016